(57)【要約】【課題】高齢者などの杖使用者は、自立しない一本杖を使用している場合が多い。自立させるための従来の装着型多点接地の杖スタンドは、杖支柱の周囲に広がっているため、破損も含めた危険があり、杖支柱の外周面に折り畳みしまい込める装着型スタンドも、杖とスタンドをロック螺子で固定するものは、高齢者や身体の不自由な人では握力がなく操作が不便であったりした。  本発明は、簡易に装着、杖を自立させる事が出来る一本杖自立スタンドを提供する。【解決手段】内部空洞の脚台座を設け、その反対面には杖を差込み固定するための杖固定具を設け、脚は金属より成り、上部は脚台座空洞部分に収納、脚軸部右は脚軸穴右に、脚軸部左は脚軸穴左に夫々嵌められ、下部は脚接地部凹部を設けるＭ字状の脚接地部を設けていることを特徴とする一本杖自立スタンド。【選択図】図１
2015136609.tif 000002
【特許請求の範囲】
【請求項１】
内部空洞の脚台座を設け、その反対面には弾力性のある部材で成型し、差し込み口から杖を差込み固定するための杖固定具を設け、脚台座には、脚台座上方右端寄り部分から開設され、脚台座下方においては台座溝脚固定部右を設けた台座溝右と、脚台座上方左端寄り部分から開設され、脚台座下方においては台座溝脚固定部左を設けた台座溝左を設け、脚台座右側面に脚軸穴右を設け、脚台座左側面に脚軸穴左を設けるが、上部が脚台座空洞部分に収納される金属よりなる脚は、脚軸部右、脚軸部左を設け、脚軸部右は脚軸穴右に、脚軸部左は脚軸穴左に夫々嵌められ、脚軸部右、脚軸部左夫々から曲折、直線状に下方に伸びたのち曲折し、杖支柱の外周を囲む形の脚接地部凹部を中央に設けるＭ字状の脚接地部を設けている、一本杖自立スタンド。
【発明の詳細な説明】
【技術分野】
【０００１】  本発明は、自立しない従来の一本杖に取付けることで、非使用時の一本杖を自立させることができる一本杖自立スタンドに関するものである。
【背景技術】
【０００２】  従来、杖を持参外出した場合、外出先での杖の非使用時においては、多点接地のスタンドを設けるなど自身が自立する機能を持った杖（特許文献１参照）以外の一本杖は、机や壁などに立てかけるか、あるいは、杖自体を自立させるために、多点で接地するスタンドを装着したり（特許文献２参照）、杖の外周面に折り畳みしまい込むことが出来るスタンドをロック螺子で固定、装着したりしていた（特許文献３参照）。
【先行技術文献】
【特許文献】
【０００３】
【特許文献１】特開２０１１−１７７３３６号公報
【特許文献２】特開２０１２−１４８０４３号公報
【特許文献３】特開２００６−１１０３４６号公報
【発明の概要】
【発明が解決しようとする課題】
【０００４】  高齢者など現在の杖使用者は、既に一本杖を所有している場合が多く、自立する機能を設けた多点接地の杖を新たに購入するには、経済的負担が大きい。また、装着型の従来の多点接地型杖スタンドでは、杖支柱の周囲に広がっているため、公共移動機関などで使用するには、破損も含めて、危険などがあり、杖支柱の外周面に折り畳みしまい込むことが出来るスタンドも、杖とスタンドをロック螺子で固定するものは、高齢者や身体の不自由な人では握力がなく操作が不便であったりした。
本発明は、以上の問題点を解決するためになされたものである。
【課題を解決するための手段】
【０００５】  蒲鉾型で内部空洞の脚台座を設け、その反対面には弾力性のある部材で成型し、差し込み口から杖を差込み、固定するための杖固定具を設ける。また、脚台座には台座溝右、台座溝左を設ける。台座溝右は、脚台座上方右端寄り部分から開設され、曲線状に下方に進むに従い脚台座中央付近を経由、脚台座下方においては、約９０度の角度で曲折し、台座溝脚固定部右を設ける。台座溝左は、脚台座上方左端寄り部分から開設され、曲線状に下方に進むに従い脚台座中央付近を経由、脚台座下方においては、約９０度の角度で曲折、台座溝脚固定部左を設ける。また、蒲鉾型の脚台座右側面のやや下方に、脚軸部右が嵌まる脚軸穴右が設けられ、蒲鉾型の脚台座左側面のやや下方に、脚軸部左が嵌まる脚軸穴左が設けられる。脚は金属より成り、２、３センチメートル程の脚軸部右、脚軸部左、夫々から曲折、直線状に下方に伸びたのち、夫々約１２０度の角度で曲折、杖支柱の外周を囲む形の脚接地部凹部を設けるＭ字状の脚接地部を構成する。また、脚の上部は脚台座空洞部分に収納され、脚軸部右は脚軸穴右に、脚軸部左は脚軸穴左に夫々嵌められる。
以上の構成よりなる一本杖自立スタンド。
【発明の効果】
【０００６】  自立する機能を設けた多点接地の杖を新たに購入することなく、且つ、スタンドが杖支柱の周囲に広がるなどの破損含めた危険や、杖とスタンドをロック螺子で固定するなど高齢者や身体の不自由な人では操作の不便があった従来の装着スタンドと違い、本発明は、一般的一本杖の支柱部分に簡易に装着、自立させるためのスタンドとして使用出来、歩行時など杖としての使用時には、脚を上方に折り返し、歩行の妨げや周囲への邪魔とならずに使用することが出来るものである。
【図面の簡単な説明】
【０００７】
【図１】  本発明の外観斜視図
【図２】  本発明の一部である脚の単体斜視図
【図３】  本発明の一部である杖固定具の拡大斜視図
【図４】  脚折り返し時の本発明の側面図
【発明を実施するための形態】
【０００８】  以下、本発明の実施の形態を説明する。
（イ）蒲鉾型で内部空洞の脚台座（１）を設け、その反対面には弾力性のある部材で成型し、差し込み口から杖を差込み、固定するための杖固定具（１２）を設ける。
（ロ）脚台座（１）には台座溝右（２）、台座溝左（３）を設ける。台座溝右（２）は、脚台座（１）上方右端寄り部分から開設され、曲線状に下方に進むに従い脚台座（１）中央付近を経由、脚台座（１）下方において、約９０度の角度で曲折し、台座溝脚固定部右（４）を設ける。台座溝左（３）は、脚台座（１）上方左端寄り部分から開設され、曲線状に下方に進むに従い脚台座（１）中央付近を経由、脚台座（１）下方において、約９０度の角度で曲折、台座溝脚固定部左（５）を設ける。
（ハ）蒲鉾型の脚台座（１）右側面のやや下方に、脚軸部右（９）が嵌まる脚軸穴右（６）が設けられ、蒲鉾型の脚台座（１）左側面のやや下方に、脚軸部左（１０）が嵌まる脚軸穴左（７）が設けられる。
（ニ）脚（８）は金属より成る。２、３センチメートル程の脚軸部右（９）と脚軸部左（１０）、夫々から曲折、直線状に下方に伸びたのち、夫々約１２０度の角度で曲折、杖支柱の外周を囲む形の脚接地部凹部（１３）を中央に設けるＭ字状の脚接地部（１１）を設ける。
（ホ）脚（８）の上部は脚台座（１）空洞部分に収納され、脚軸部右（９）は脚軸穴右（６）に、脚軸部左（１０）は脚軸穴左（７）に夫々嵌められる
本発明は以上のような構造である。
本発明を使用するときは、本発明の杖固定具（１２）の差し込み口から、杖の支柱を押し込み、部材の弾力により本発明を杖に装着させる。
杖の非使用時に、杖を自立させるときは、脚軸部右（９）が脚軸穴右（６）に、脚軸部左（１０）が脚軸穴左（７）に嵌まった状態で、脚（８）を台座溝右（２）、台座溝左（３）に沿って下方にスライドさせ、台座溝脚固定部右（４）、台座溝脚固定部左（５）に固定し、脚接地部（１１）が地面に接地、杖が自立するよう杖固定具（１２）を上下にスライドさせ高さを調整する。
歩行など杖としての使用時には、脚軸部右（９）が脚軸穴右（６）に、脚軸部左（１０）が脚軸穴左（７）に嵌まった状態で、脚（８）を台座溝右（２）、台座溝左（３）に沿って、夫々の最上部までスライドさせ、且つ杖支柱の外周部が脚接地部凹部（１３）に収まる状態に位置させ固定する。
【符号の説明】
【０００９】  １  脚台座、  ２  台座溝右、  ３  台座溝左、  ４  台座溝脚固定部右、
５  台座溝脚固定部左、  ６  脚軸穴右、  ７  脚軸穴左、  ８  脚、
９  脚軸部右、  １０  脚軸部左、  １１  脚接地部、  １２  杖固定具、
１３  脚接地部凹部
【図１】
2015136609.tif 000003
【図２】
2015136609.tif 000004
【図３】
2015136609.tif 000005
【図４】
2015136609.tif 000006